(57)【要約】【課題】ドアを開錠するための識別情報が不正利用されるリスクを低減可能な仕組みを提供すること。【解決手段】携帯端末に識別情報を送信し、識別情報読取装置から送信される識別情報を受信する。そして、識別情報読取装置から受信した識別情報と、携帯端末に送信した識別情報が一致することを条件に、ドアを開錠するためのリンク情報を生成し、前記携帯端末に送信する。送信したリンク情報に従って携帯端末から送信されるドアの開錠依頼を受信し、ドアを開錠する指示を行う。【選択図】図９
2018009448.tif 000002
【特許請求の範囲】
【請求項１】
携帯端末と、識別情報読取装置と通信可能な情報処理装置であって、
前記携帯端末に識別情報を送信する送信手段と、
前記識別情報読取装置から送信される識別情報を受信する識別情報受信手段と、
前記識別情報受信手段で受信した前記識別情報と前記送信手段で前記携帯端末に送信した前記識別情報が一致することを条件に、ドアを開錠するためのリンク情報を生成し、前記携帯端末に送信するリンク情報送信手段と、
前記リンク情報送信手段で送信したリンク情報に従って前記携帯端末から送信される前記ドアの開錠依頼を受信する開錠依頼受信手段と、
前記開錠依頼受信手段で前記ドアを開錠する依頼を受信することを条件に、前記ドアを開錠する指示を行う指示手段と
を備えることを特徴とする情報処理装置。
【請求項２】
前記識別情報を使用可能な日時の情報を記憶する記憶手段を備え、
前記リンク情報送信手段は、前記識別情報受信手段で受信した前記識別情報と前記送信手段で前記携帯端末に送信した前記識別情報とが一致し、かつ前記記憶手段に記憶されている日時に、前記識別情報受信手段で前記識別情報を受信することを条件に、ドアを開錠するためのリンク情報を生成し、前記携帯端末に送信することを特徴とする請求項１に記載の情報処理装置。
【請求項３】
前記識別情報には、１次元コードを含むことを特徴とする請求項１、または２に記載の情報処理装置。
【請求項４】
前記識別情報には、２次元コードを含むことを特徴とする請求項１乃至３のいずれか１項に記載の情報処理装置。
【請求項５】
携帯端末と、識別情報読取装置と通信可能な情報処理装置における制御方法であって、
前記携帯端末に識別情報を送信する送信工程と、
前記識別情報読取装置から送信される識別情報を受信する識別情報受信工程と、
前記識別情報受信工程で受信した前記識別情報と前記送信工程で前記携帯端末に送信した前記識別情報が一致することを条件に、ドアを開錠するためのリンク情報を生成し、前記携帯端末に送信するリンク情報送信工程と、
前記リンク情報送信工程で送信したリンク情報に従って前記携帯端末から送信される前記ドアの開錠依頼を受信する開錠依頼受信工程と、
前記開錠依頼受信工程で前記ドアを開錠する依頼を受信することを条件に、前記ドアを開錠する指示を行う指示工程と
を備えることを特徴とする情報処理装置の制御方法。
【請求項６】
携帯端末と、識別情報読取装置と通信可能な情報処理装置で実行されるプログラムであって、
前記情報処理装置を、
前記携帯端末に識別情報を送信する送信手段と、
前記識別情報読取装置から送信される識別情報を受信する識別情報受信手段と、
前記識別情報受信手段で受信した前記識別情報と前記送信手段で前記携帯端末に送信した前記識別情報が一致することを条件に、ドアを開錠するためのリンク情報を生成し、前記携帯端末に送信するリンク情報送信手段と、
前記リンク情報送信手段で送信したリンク情報に従って前記携帯端末から送信される前記ドアの開錠依頼を受信する開錠依頼受信手段と、
前記開錠依頼受信手段で前記ドアを開錠する依頼を受信することを条件に、前記ドアを開錠する指示を行う指示手段として機能させることを特徴とするプログラム。
【請求項７】
携帯端末と、識別情報読取装置と、情報処理装置とを含む情報処理システムであって、
前記情報処理装置は、
前記携帯端末に識別情報を送信する送信手段と、
前記識別情報読取装置から送信される識別情報を受信する識別情報受信手段と、
前記識別情報受信手段で受信した前記識別情報と前記送信手段で前記携帯端末に送信した前記識別情報が一致することを条件に、ドアを開錠するためのリンク情報を生成し、前記携帯端末に送信するリンク情報送信手段と、
前記携帯端末から送信される開錠依頼を受信する開錠依頼受信手段と、
前記開錠依頼受信手段で前記ドアを開錠する依頼を受信することを条件に、前記ドアを開錠する指示を行う指示手段とを備え、
前記携帯端末は、
前記情報処理装置から送信される前記識別情報を受信する受信手段と、
前記受信手段で受信した前記識別情報を表示する表示手段と、
前記情報処理装置から送信される前記リンク情報を受信するリンク情報受信手段と、
前記リンク情報受信手段で受信したリンク先にアクセスし、当該リンク先から前記ドアの開錠依頼を前記情報処理装置に送信する開錠依頼送信手段とを備え、
前記識別情報読取装置は、
前記携帯端末に表示される前記識別情報を読み取る読取手段と、
前記読取手段により読み取った前記識別情報を前記情報処理装置に送信する識別情報送信手段を備えること
を特徴とする情報処理システム。
【請求項８】
携帯端末と、識別情報読取装置と、情報処理装置とを含む情報処理システムにおける制御方法であって、
前記情報処理装置が、前記携帯端末に識別情報を送信する送信工程と、
前記携帯端末が、前記情報処理装置から送信される前記識別情報を受信する受信工程と、
前記携帯端末が、前記受信工程で受信した前記識別情報を表示する表示工程と、
前記識別情報読取装置が、前記携帯端末に表示される前記識別情報を読み取る読取工程と、
前記識別情報読取装置が、前記読取工程により読み取った前記識別情報を前記情報処理装置に送信する識別情報送信工程と、
前記情報処理装置が、前記識別情報読取装置から送信される識別情報を受信する識別情報受信工程と、
前記情報処理装置が、前記識別情報受信工程で受信した前記識別情報と前記送信工程で前記携帯端末に送信した前記識別情報が一致することを条件に、ドアを開錠するためのリンク情報を生成し、前記携帯端末に送信するリンク情報送信工程と、
前記携帯端末が、前記情報処理装置から送信される前記リンク情報を受信するリンク情報受信工程と、
前記携帯端末が、前記リンク情報受信工程で受信したリンク先にアクセスし、当該リンク先から前記ドアの開錠依頼を前記情報処理装置に送信する開錠依頼送信工程と、
前記情報処理装置が、前記携帯端末から送信される開錠依頼を受信する開錠依頼受信工程と、
前記情報処理装置が、前記開錠依頼受信工程で前記ドアを開錠する依頼を受信することを条件に、前記ドアを開錠する指示を行う指示工程とを備えることを特徴とする情報処理システムにおける制御方法。
【請求項９】
携帯端末と、識別情報読取装置と、情報処理装置とを含む情報処理システムにおいて実行可能なプログラムであって、
前記情報処理装置を、
前記携帯端末に識別情報を送信する送信手段と、
前記識別情報読取装置から送信される識別情報を受信する識別情報受信手段と、
前記識別情報受信手段で受信した前記識別情報と前記送信手段で前記携帯端末に送信した前記識別情報が一致することを条件に、ドアを開錠するためのリンク情報を生成し、前記携帯端末に送信するリンク情報送信手段と、
前記携帯端末から送信される開錠依頼を受信する開錠依頼受信手段と、
前記開錠依頼受信手段で前記ドアを開錠する依頼を受信することを条件に、前記ドアを開錠する指示を行う指示手段として機能させ、
前記携帯端末を、
前記情報処理装置から送信される前記識別情報を受信する受信手段と、
前記受信手段で受信した前記識別情報を表示する表示手段と、
前記情報処理装置から送信される前記リンク情報を受信するリンク情報受信手段と、
前記リンク情報受信手段で受信したリンク先にアクセスし、当該リンク先から前記ドアの開錠依頼を前記情報処理装置に送信する開錠依頼送信手段として機能させ、
前記識別情報読取装置を、
前記携帯端末に表示される前記識別情報を読み取る読取手段と、
前記読取手段により読み取った前記識別情報を前記情報処理装置に送信する識別情報送信手段として機能させることを特徴とするプログラム。
【請求項１０】
携帯端末と、読取装置と通信可能な情報処理装置であって、
識別情報を送信するユーザの顔画像を記憶する記憶手段と、
前記読取装置から送信される顔画像を受信する顔画像受信手段と、
前記顔画像受信手段で受信した前記顔画像と、前記記憶手段で記憶する前記ユーザの顔画像が一致するかを判断する判断手段と、
前記判断手段で、前記顔画像受信手段で受信した前記顔画像と、前記記憶手段で記憶する前記ユーザの顔画像が一致すると判断されることを条件に、前記ユーザが使用する前記携帯端末に識別情報を送信する識別情報送信手段と、
前記読取装置から識別情報を受信する識別情報受信手段と、
前記識別情報受信手段で受信した前記識別情報と前記識別情報送信手段で前記携帯端末に送信した前記識別情報が一致することを条件に、ドアを開錠する指示を行う指示手段とを備えることを特徴とする情報処理装置。
【請求項１１】
携帯端末と、読取装置と通信可能な情報処理装置における制御方法であって、
識別情報を送信するユーザの顔画像を記憶する記憶工程と、
前記読取装置から送信される顔画像を受信する顔画像受信工程と、
前記顔画像受信工程で受信した前記顔画像と、前記記憶工程で記憶する前記ユーザの顔画像が一致するかを判断する判断工程と、
前記判断工程で、前記顔画像受信工程で受信した前記顔画像と、前記記憶工程で記憶する前記ユーザの顔画像が一致すると判断されることを条件に、前記ユーザが使用する前記携帯端末に識別情報を送信する識別情報送信工程と、
前記読取装置から識別情報を受信する識別情報受信工程と、
前記識別情報受信工程で受信した前記識別情報と前記識別情報送信工程で前記携帯端末に送信した前記識別情報が一致することを条件に、ドアを開錠する指示を行う指示工程とを備えることを特徴とする情報処理装置の制御方法。
【請求項１２】
携帯端末と、読取装置と通信可能な情報処理装置で実行されるプログラムであって、
前記情報処理装置を、
識別情報を送信するユーザの顔画像を記憶する記憶手段と、
前記読取装置から送信される顔画像を受信する顔画像受信手段と、
前記顔画像受信手段で受信した前記顔画像と、前記記憶手段で記憶する前記ユーザの顔画像が一致するかを判断する判断手段と、
前記判断手段で、前記顔画像受信手段で受信した前記顔画像と、前記記憶手段で記憶する前記ユーザの顔画像が一致すると判断されることを条件に、前記ユーザが使用する前記携帯端末に識別情報を送信する識別情報送信手段と、
前記読取装置から識別情報を受信する識別情報受信手段と、
前記識別情報受信手段で受信した前記識別情報と前記識別情報送信手段で前記携帯端末に送信した前記識別情報が一致することを条件に、ドアを開錠する指示を行う指示手段として機能させることを特徴とするプログラム。
【請求項１３】
携帯端末と、読取装置と、情報処理装置とを含む情報処理システムであって、
前記読取装置は、
ユーザの顔認識をする顔認識手段と、
前記顔認識手段で顔認識を行うことで得られる顔画像を、前記情報処理装置に送信する顔画像送信手段と、
前記携帯端末に表示される識別情報を読み取る読取手段と、
前記読取手段により読み取った前記識別情報を前記情報処理装置に送信する第１の送信手段を備え、
前記情報処理装置は、
識別情報を送信するユーザの顔画像を記憶する記憶手段と、
前記顔画像送信手段で前記読取装置から送信される前記顔画像を受信する顔画像受信手段と、
前記顔画像受信手段で受信した前記顔画像と、前記記憶手段で記憶する前記ユーザの顔画像が一致するかを判断する判断手段と、
前記判断手段で、前記顔画像受信手段で受信した前記顔画像と、前記記憶手段で記憶する前記ユーザの顔画像が一致すると判断されることを条件に、前記ユーザの前記携帯端末に識別情報を送信する第２の送信手段と、
前記読取装置から送信された前記識別情報を受信する第１の識別情報受信手段と、
前記第１の識別情報受信手段で受信した前記識別情報と前記第２の送信手段で前記携帯端末に送信した前記識別情報が一致することを条件に、ドアを開錠する指示を行う指示手段とを備え、
前記携帯端末は、
前記情報処理装置から送信される前記識別情報を受信する第２の識別情報受信手段と、
前記第２の識別情報受信手段で受信した前記識別情報を表示する表示手段と
を備えることを特徴とする情報処理システム。
【請求項１４】
携帯端末と、読取装置と、情報処理装置とを含む情報処理システムにおける制御方法であって、
前記読取装置が、ユーザの顔認識をする顔認識工程と、
前記読取装置が、前記顔認識工程で顔認識を行うことで得られる顔画像を、前記情報処理装置に送信する顔画像送信工程と、
前記情報処理装置が、識別情報を送信するユーザの顔画像を記憶する記憶工程と、
前記情報処理装置が、前記顔画像送信工程で前記読取装置から送信される前記顔画像を受信する顔画像受信工程と、
前記情報処理装置が、前記顔画像受信工程で受信した前記顔画像と、前記記憶工程で記憶する前記ユーザの顔画像が一致するかを判断する判断工程と、
前記情報処理装置が、前記判断工程で、前記顔画像受信工程で受信した前記顔画像と、前記記憶工程で記憶する前記ユーザの顔画像が一致すると判断されることを条件に、前記ユーザの前記携帯端末に識別情報を送信する第１の送信工程と、
前記携帯端末が、前記情報処理装置から送信される前記識別情報を受信する第１の識別情報受信工程と、
前記携帯端末が、前記第１の識別情報受信工程で受信した前記識別情報を表示する表示工程と、
前記読取装置が、前記携帯端末に表示される識別情報を読み取る読取工程と、
前記読取装置が、前記読取工程により読み取った前記識別情報を前記情報処理装置に送信する第２の送信工程を備え、
前記情報処理装置が、前記読取装置から送信された前記識別情報を受信する第２の識別情報受信工程と、
前記情報処理装置が、前記第２の識別情報受信工程で受信した前記識別情報と前記第１の送信工程で前記携帯端末に送信した前記識別情報が一致することを条件に、ドアを開錠する指示を行う指示工程とを備えることを特徴とする情報処理システムにおける制御方法。
【請求項１５】
携帯端末と、読取装置と、情報処理装置とを含む情報処理システムにおいて実行可能なプログラムであって、
前記読取装置を、
ユーザの顔認識をする顔認識手段と、
前記顔認識手段で顔認識を行うことで得られる顔画像を、前記情報処理装置に送信する顔画像送信手段と、
前記携帯端末に表示される識別情報を読み取る読取手段と、
前記読取手段により読み取った前記識別情報を前記情報処理装置に送信する第１の送信手段として機能させ、
前記情報処理装置を、
識別情報を送信するユーザの顔画像を記憶する記憶手段と、
前記顔画像送信手段で前記読取装置から送信される前記顔画像を受信する顔画像受信手段と、
前記顔画像受信手段で受信した前記顔画像と、前記記憶手段で記憶する前記ユーザの顔画像が一致するかを判断する判断手段と、
前記判断手段で、前記顔画像受信手段で受信した前記顔画像と、前記記憶手段で記憶する前記ユーザの顔画像が一致すると判断されることを条件に、前記ユーザの前記携帯端末に識別情報を送信する第２の送信手段と、
前記読取装置から送信された前記識別情報を受信する第１の識別情報受信手段と、
前記第１の識別情報受信手段で受信した前記識別情報と前記第２の送信手段で前記携帯端末に送信した前記識別情報が一致することを条件に、ドアを開錠する指示を行う指示手段として機能させ、
前記携帯端末を、
前記情報処理装置から送信される前記識別情報を受信する第２の識別情報受信手段と、
前記第２の識別情報受信手段で受信した前記識別情報を表示する表示手段として機能させることを特徴とするプログラム。
【発明の詳細な説明】
【技術分野】
【０００１】
本発明は、情報処理装置、情報処理装置の制御方法、及びプログラムに関し、特に、ドアを開錠するための識別情報が不正利用されるリスクを低減可能な仕組みに関する。
【背景技術】
【０００２】
従来、マンションなどの訪問予約者にキーとなるバーコードを送信し、訪問者はそのバーコードを入場時のキーとして使用するシステムがある（例えば、特許文献１参照）。
【０００３】
このシステムでは悪意のある第三者にバーコードキーをコピーされるなどして悪用されることが考えられる。
【０００４】
また、このようなことを想定してセキュリティ機能を施したシステムがある（例えば、特許文献２参照）。
【先行技術文献】
【特許文献】
【０００５】
【特許文献１】特開２００４−３６０２００号公報
【特許文献２】特開２００７−１９７９６０号公報
【発明の概要】
【発明が解決しようとする課題】
【０００６】
特許文献２では、訪問者を登録時にバーコードキー生成を行い、そのバーコードキーが直接入場時のキーとなっている。バーコードキーは一度利用されると破棄され、新しいバーコードキーを生成する。
【０００７】
未使用のバーコードキーを第三者にコピーされて開錠に使用された場合、それによって新規に生成されたバーコードキーが本来の訪問者に通知されるため、本来の訪問者は、自分以外の第三者が自身のバーコードキーを不正に使用したことを察知することが可能である。
【０００８】
しかしながら、特許文献２では、バーコードキーの不正使用を未然に防ぐことはできない。
【０００９】
本発明の目的は、ドアを開錠するための識別情報が不正利用されるリスクを低減可能な仕組みを提供することである。
【課題を解決するための手段】
【００１０】
本発明は、携帯端末と、識別情報読取装置と通信可能な情報処理装置であって、前記携帯端末に識別情報を送信する送信手段と、前記識別情報読取装置から送信される識別情報を受信する識別情報受信手段と、前記識別情報受信手段で受信した前記識別情報と前記送信手段で前記携帯端末に送信した前記識別情報が一致することを条件に、ドアを開錠するためのリンク情報を生成し、前記携帯端末に送信するリンク情報送信手段と、前記リンク情報送信手段で送信したリンク情報に従って前記携帯端末から送信される前記ドアの開錠依頼を受信する開錠依頼受信手段と、前記開錠依頼受信手段で前記ドアを開錠する依頼を受信することを条件に、前記ドアを開錠する指示を行う指示手段とを備えることを特徴とする。
【００１１】
また、本発明は、携帯端末と、識別情報読取装置と通信可能な情報処理装置における制御方法であって、前記携帯端末に識別情報を送信する送信工程と、前記識別情報読取装置から送信される識別情報を受信する識別情報受信工程と、前記識別情報受信工程で受信した前記識別情報と前記送信工程で前記携帯端末に送信した前記識別情報が一致することを条件に、ドアを開錠するためのリンク情報を生成し、前記携帯端末に送信するリンク情報送信工程と、前記リンク情報送信工程で送信したリンク情報に従って前記携帯端末から送信される前記ドアの開錠依頼を受信する開錠依頼受信工程と、前記開錠依頼受信工程で前記ドアを開錠する依頼を受信することを条件に、前記ドアを開錠する指示を行う指示工程とを備えることを特徴とする。
【００１２】
また、本発明は、携帯端末と、識別情報読取装置と通信可能な情報処理装置で実行されるプログラムであって、前記情報処理装置を、前記携帯端末に識別情報を送信する送信手段と、前記識別情報読取装置から送信される識別情報を受信する識別情報受信手段と、前記識別情報受信手段で受信した前記識別情報と前記送信手段で前記携帯端末に送信した前記識別情報が一致することを条件に、ドアを開錠するためのリンク情報を生成し、前記携帯端末に送信するリンク情報送信手段と、前記リンク情報送信手段で送信したリンク情報に従って前記携帯端末から送信される前記ドアの開錠依頼を受信する開錠依頼受信手段と、前記開錠依頼受信手段で前記ドアを開錠する依頼を受信することを条件に、前記ドアを開錠する指示を行う指示手段として機能させることを特徴とする。
【発明の効果】
【００１３】
本発明によれば、ドアを開錠するための識別情報が不正利用されるリスクを低減可能な仕組みを提供することができる。
【図面の簡単な説明】
【００１４】
【図１】本発明に係るネットワークカメラのブロック図の一例を示す図である。
【図２】本発明のネットワークカメラを利用したドアの開錠システム構成の一例を示すシステム構成図。
【図３】本発明の第１の実施形態におけるネットワークカメラを利用したドアの開錠システムにおける一連の流れを説明したフローチャートの一例を示す図である。
【図４】本発明の第２の実施形態におけるネットワークカメラを利用したドアの開錠システムにおける一連の流れを説明したフローチャートの一例を示す図である。
【図５】本発明の第１の実施形態におけるネットワークカメラを利用したドアの開錠システムにおける訪問者登録用画面の一例を示す図である。
【図６】本発明の第２の実施形態におけるネットワークカメラを利用したドアの開錠システムにおける訪問者登録用画面の一例を示す図である。
【図７】本発明におけるネットワークカメラを利用したドアの開錠システムにおける開錠用画面の一例を示す図である。
【図８】本発明におけるネットワークカメラを利用したドアの開錠システムにおける開錠完了画面の一例を示す図である。
【図９】本発明の第２の実施形態におけるネットワークカメラを利用したドアの開錠システムにおける一連の流れを説明したフローチャートの一例を示す図である。
【図１０】本発明の第１の実施形態で、「訪問者、バーコード制御装置」１０１が保持しているデータベースの一例である。
【図１１】本発明の第２の実施形態で、「訪問者、バーコード制御装置」１０１が保持しているデータベースの一例である。
【発明を実施するための形態】
【００１５】
以下、図面を参照して、本発明の実施形態を詳細に説明する。
＜図１の説明＞
【００１６】
図１はネットワークカメラのブロック図である。
【００１７】
図１において、２００はネットワークカメラ１０２全体を制御するシステム制御部である。
【００１８】
２０１は被写体を映像として撮像し、デジタルの映像データに変換して出力する撮像部である。
【００１９】
２０２はシステム制御部２００からの指示に従って、ホワイトバランスやシャッター速度などの各種撮像パラメータの設定やズーム動作など、撮像部２０１の動作を制御する撮像制御部である。
【００２０】
２０３は映像データをネットワークへ伝送するために圧縮符号化する映像圧縮符号化部である。この映像圧縮符号化部２０３は、画質優先符号化のためにフレーム内圧縮を行うＪＰＥＧエンコーダ機能と、動き優先符号化のためにフレーム間差分を含む圧縮を行うＭＰＥＧ４エンコーダ機能とを有する。上述のエンコーダ機能は、ビットレートや量子化パラメータなどの調節が可能であり、更に詳細に符号化を制御することができる。
【００２１】
２０４は音声を入力するマイク入力部、２０５は音声データをネットワークへ伝送するために圧縮符号化する音声圧縮符号化部である。
【００２２】
２０６は映像圧縮符号化部２０３からの映像符号化データと、音声圧縮符号化部２０５からの音声符号化データとをネットワークへ伝送するためにパケット化するパケット化部である。
【００２３】
２０７はパケット化部２０６でパケット化された映像パケット及び音声パケットを外部の装置へ送信し、また外部の装置からリクエスト処理を受け付けるサーバ部である。
【００２４】
２０８はネットワーク１０３を介してバーコード制御装置１０１と通信を行う通信インタフェースである。
【００２５】
２０９は撮像部２０１をパン・チルト動作させて撮像方向を変化させる雲台モータ部である。
【００２６】
２１０はシステム制御部２００からの指示に従って、雲台モータ部２０９を制御する雲台制御部である。
【００２７】
２１１は撮像される画像を解析し、被写体の動きや画像全体の動きなどを検知する動き検知部である。
【００２８】
尚、映像圧縮符号化部２０３は、システム制御部２００からの指示により映像データの圧縮に用いる圧縮方法やフレームレート、画像サイズなど、様々なパラメータを変更することにより、映像の品質やデータ量を制御可能に構成されている。
【００２９】
また音声圧縮符号化部２０５も映像圧縮符号化部２０３と同様に、システム制御部２００からの指示により音声データのサンプリングレートや符号化方法を変更することにより、音声の品質やデータ量を制御可能に構成されている。
＜図２の説明＞
【００３０】
図２は、本発明のシステム構成を示し、「訪問者登録端末」１００、「訪問者、バーコード制御装置」１０１、「ネットワークカメラ」１０２、「ネットワーク」１０３、「携帯端末」１０４、「無線ＬＡＮルータ」１０５、「Ｗｅｂサーバ」１０６、「自動ドア制御装置」１０７、「自動ドア」１０８から構成されている。つまり、携帯端末と、識別情報読取装置と、情報処理装置とを含む情報処理システムである。
【００３１】
「訪問者登録端末」１００、「訪問者、バーコード制御装置」１０１、「ネットワークカメラ」１０２、「携帯端末」１０４がグローバルネットワーク「ネットワーク」１０３を介して接続され、「訪問者登録端末」１００、「携帯端末」１０４、「Ｗｅｂサーバ」１０６、「自動ドア制御装置」１０７、「無線ＬＡＮルータ」１０５を介して接続される構成となっている。
【００３２】
「訪問者登録端末」１００はＷＥＢブラウジング機能を備えているデバイスを想定している。管理者（管理会社、不動産業者、大家、住人など）が「訪問者登録端末」１００から「訪問者、バーコード制御装置」１０１に接続し、事前に訪問者の登録を行う。
【００３３】
「訪問者、バーコード制御装置」１０１はデータベースを保持しており、訪問者情報、各訪問者に対応するバーコードキーを管理している。訪問者の登録時にバーコードキーを生成し、訪問者情報と紐付け、Ｅメールなどで訪問者に通知する。また「ネットワークカメラ」１０２からバーコードキーの画像を受け取り、データベース上のバーコードキーと一致するか検証を行う機能を持つ。なお、本発明におけるバーコードキーは、１次元コードでも２次元コードでもよい。また、バーコードキーのことを識別情報とも言う。
【００３４】
以下に「訪問者、バーコード制御装置」１０１保持しているデータの例を記す。
＜図１０の説明＞
図１０は、本発明の第１の実施形態で「訪問者、バーコード制御装置」１０１が保持しているデータベースの一例である。
１００１は、訪問するユーザ名であり、ステップＳ３００、またはステップＳ４０１で、管理者が「訪問者登録端末」１００を用いて登録する。
１００２は、訪問者の電子メールアドレスであり、ステップＳ３００、またはステップＳ４０１で、管理者が「訪問者登録端末」１００を用いて登録する。
１００３は、訪問者が管理者のもとを訪れる日時であり、ステップＳ３００、またはステップＳ４０１で、管理者が「訪問者登録端末」１００を用いて登録する。
１００４は、訪問者がドアの解除に使用するバーコードキーの情報であり、ステップＳ３０１、またはステップＳ４０６で「訪問者、バーコード制御装置」１０１が生成する。
１００５は、訪問者がドアの解除するさいにアクセスするサイトのＵＲＬであり、ステップＳ３１０で「Ｗｅｂサーバ」１０６が生成する。
１００６は、訪問者を登録する管理者の情報である。
＜図１１の説明＞
図１１は、本発明の第２の実施形態で「訪問者、バーコード制御装置」１０１が保持しているデータベースの一例である。図１０と同様の部分については、同じ番号を振り説明は省略する。
１１０１は、訪問者の顔画像の情報（顔特徴量を含む）であり、ステップＳ４０１で、管理者が「訪問者登録端末」１００を用いて登録する。
【００３５】
「ネットワークカメラ」１０２は「携帯端末」１０４に表示されるバーコードキーを読み取ることができる、ネットワークに接続可能なカメラを想定している。
【００３６】
「携帯端末」１０４は、携帯電話やＰＤＡのような持ち運び可能なデバイスを想定しており、電子メール機能およびＷＥＢブラウジング機能を備えている。
【００３７】
「訪問者、バーコード制御装置」１０１よりＥメールで通知される、バーコードキー画像を表示する。また、同じく「訪問者、バーコード制御装置」１０１よりＥメールで通知される無線ＬＡＮ接続方法を参考に訪問者が「携帯端末」１０４に無線ＬＡＮ接続設定を行うことで、「無線ＬＡＮルータ」１０５に接続可能となり「無線ＬＡＮルータ」１０５を介して「Ｗｅｂサーバ」１０６上に生成された解錠用ＷｅｂページＵＲＬにアクセス可能となる。
【００３８】
「無線ＬＡＮルータ」１０５は「訪問者、バーコード制御装置」１０１、「Ｗｅｂサーバ」１０６とのみ常に接続可能である。前記以外の端末とは「訪問者、バーコード制御装置」１０１からＷｅｂサーバ接続処理を実行された場合のみ接続可能となり、Ｗｅｂサーバ切断処理を実行されると再び「訪問者、バーコード制御装置」１０１、「Ｗｅｂサーバ」１０６以外の端末とは接続不可となる。
【００３９】
「Ｗｅｂサーバ」１０６は、「訪問者、バーコード制御装置」１０１より依頼があった際に解錠用ＷｅｂページＵＲＬの生成、削除を行う。また、解錠用Ｗｅｂページに接続した「携帯端末」１０４より解錠依頼があった場合は「自動ドア制御装置」１０７に対して解錠依頼を行う。
【００４０】
「自動ドア制御装置」１０７は自動ドアの開閉、ドアの鍵の開閉を制御する装置を想定している。本発明では「Ｗｅｂサーバ」１０６よりドアの解錠依頼があった場合に「自動ドア」１０８を開く。
【００４１】
なお、本実施例では、「訪問者、バーコード制御装置」１０１と、「Ｗｅｂサーバ」１０６と、「自動ドア制御装置」１０７を別々の装置としたが、他の実施例として、「訪問者、バーコード制御装置」１０１と、「Ｗｅｂサーバ」１０６と、「自動ドア制御装置」１０７が持つ機能を、ひとつの装置（ひとつの装置とは、例えばサーバであり、この装置は、本発明における携帯端末と、識別情報読取装置と通信可能な情報処理装置の一例である）がまとめて持っていてもよい。その場合、以下の実施例で「訪問者、バーコード制御装置」１０１と、「Ｗｅｂサーバ」１０６と、「自動ドア制御装置」１０７が行う処理は、ひとつの装置が実行する。
［第１の実施形態］
【００４２】
次に、図３と図９を参照して、本発明の第１の実施形態のフローチャートの一例について詳細に説明する。
＜図３の説明（登録時）＞
【００４３】
まず、訪問者があると分かった際に、管理者（管理会社、不動産業者、大家、住人など）は「訪問者登録端末」１００より訪問者登録画面（図５）にアクセスし、「訪問者登録端末」１００は、訪問者登録画面（図５）を介して、訪問者の「携帯端末」１０４のＥメールアドレス、訪問日時、訪問者名の入力をユーザから受け付け、「訪問者、バーコード制御装置」１０１に送信する（Ｓ３００）。
【００４４】
「訪問者、バーコード制御装置」１０１は、ステップＳ３００で「訪問者登録端末」１００から送られてきた情報を図１０のデータテーブルに登録し、さらに、ステップＳ３００で「訪問者登録端末」１００から送られてきたＥメールアドレスに対するバーコードキーを生成・図１０のデータテーブルに登録し（Ｓ３０１）、登録したＥメールアドレス宛てに、生成したバーコード画像を送信する（Ｓ３０２）。ステップＳ３０１は、本発明における、識別情報を使用可能な日時の情報を記憶する記憶手段の一例である。また、ステップＳ３０２は、本発明における、携帯端末に識別情報を送信する送信手段の一例である。
【００４５】
「携帯端末」１０４は、Ｓ３０２で「訪問者、バーコード制御装置」１０１から送信されたバーコードを受信し（Ｓ３０２−１）、図３の処理を終了する。ステップＳ３０２−１は、本発明における情報処理装置から送信される前記識別情報を受信する受信手段の一例である。
＜図９の説明（入室、入場時）＞
【００４６】
訪問者が建物または部屋に入るとき、「携帯端末」１０４の操作を訪問者から受け付けることで、「携帯端末」１０４のディスプレイに、図３のＳ３０２−１で「携帯端末」１０４にＥメールで通知されたバーコードキー画像を表示する（Ｓ３０３）。ステップＳ３０３は、本発明における、受信手段で受信した前記識別情報を表示する表示手段の一例である。
【００４７】
訪問者は、バーコードキーが表示された「携帯端末」１０４のディスプレイを、ドア近くに設置された「ネットワークカメラ」１０２にかざすことによって、ドアの解錠を試みる。
【００４８】
「ネットワークカメラ」１０２は、かざされた「携帯端末」１０４に表示されているバーコードキーを読み取り、その画像を「訪問者、バーコード制御装置」１０１に通知する（Ｓ３０４）。ステップＳ３０４は、本発明における、携帯端末に表示される前記識別情報を読み取る読取手段の一例であり、読取手段により読み取った前記識別情報を前記情報処理装置に送信する識別情報送信手段の一例である。
【００４９】
「訪問者、バーコード制御装置」１０１は通知されたバーコードキー画像の検証を行う（Ｓ３０５）。具体的には、通知されたバーコードキーを受信し、そのバーコードキーが図１０のデータベースで保持するキーか、訪問日時が一致するか等を検証する。ステップＳ３０５は、本発明における識別情報読取装置から送信される識別情報を受信する識別情報受信手段の一例である。
【００５０】
通知されたバーコードキーが図１０のデータベースで保持するキーでなかった場合や、図１０のデータベースで保持するキーではあるが、訪問日時が一致しない場合に、エラーを「ネットワークカメラ」１０２に返し（Ｓ３０６）、処理を終了する。
【００５１】
図１０のデータベースで保持するキーであり、かつ、訪問日時も一致する場合、「訪問者、バーコード制御装置」１０１は、「無線ＬＡＮルータ」１０５を介して「Ｗｅｂサーバ」１０６にＷｅｂサーバ接続処理を行う（Ｓ３０７）。
【００５２】
「Ｗｅｂサーバ」１０６は、接続処理が完了したら「訪問者、バーコード制御装置」１０１に接続処理が完了したことを通知する（Ｓ３０８）。
【００５３】
接続処理完了通知を受け取った「訪問者、バーコード制御装置」１０１は、「Ｗｅｂサーバ」１０６に解錠用ＷｅｂページのＵＲＬ生成、登録依頼を行う（Ｓ３０９）。
【００５４】
「訪問者、バーコード制御装置」１０１から、解錠用ＷｅｂページのＵＲＬ生成、登録依頼を受けた「Ｗｅｂサーバ」１０６は、解錠用ＷｅｂページのＵＲＬ生成、図１０のデータテーブルへの登録を行い（Ｓ３１０）、「訪問者、バーコード制御装置」１０１に、生成・登録したＵＲＬを送信する（Ｓ３１１）。ステップＳ３１１は、本発明における、識別情報受信手段で受信した前記識別情報と前記送信手段で前記携帯端末に送信した前記識別情報が一致することを条件に、ドアを開錠するためのリンク情報を生成し、前記携帯端末に送信するリンク情報送信手段の一例である。
【００５５】
「訪問者、バーコード制御装置」１０１は、「Ｗｅｂサーバ」１０６から受信したＵＲＬと「無線ＬＡＮルータ」１０５に接続する方法を「携帯端末」１０４にＥメールで送信する（Ｓ３１２）。
【００５６】
「携帯端末」１０４は、ＵＲＬと「無線ＬＡＮルータ」１０５に接続する方法を受信し、訪問者は「携帯端末」１０４にＥメールで通知された無線ＬＡＮ接続方法を参照し、「無線ＬＡＮルータ」１０５に接続するための設定を「携帯端末」１０４に対して行う。「携帯端末」１０４は、「無線ＬＡＮルータ」１０５に接続するための設定を訪問者から受け付ける（Ｓ３１３）。ステップＳ３１３は、本発明における、情報処理装置から送信される前記リンク情報を受信するリンク情報受信手段の一例である。
【００５７】
接続設定が完了し、「無線ＬＡＮルータ」１０５に接続後、「携帯端末」１０４のＷｅｂブラウザで、Ｅメールで通知された解錠用ＷｅｂページＵＲＬにアクセスする（Ｓ３１４）。
「Ｗｅｂサーバ」１０６は、解錠用画面（図７）を生成し、「携帯端末」１０４に送信する（Ｓ３１４−２）。
【００５８】
「携帯端末」１０４は、解錠用画面（図７）を表示し（Ｓ３１５）、画面上の解錠用ボタンの押下を訪問者から受け付け、解錠依頼を「Ｗｅｂサーバ」１０６に送信する（Ｓ３１６）。ステップＳ３１６は、本発明における、リンク情報受信手段で受信したリンク先にアクセスし、当該リンク先から前記ドアの開錠依頼を前記情報処理装置に送信する開錠依頼送信手段の一例である。
【００５９】
解錠依頼を受けた「Ｗｅｂサーバ」１０６は、「自動ドア制御装置」１０７に対して解錠依頼を行う（Ｓ３１７）。
【００６０】
Ｓ３１７で「Ｗｅｂサーバ」１０６から解錠依頼を受けた「自動ドア制御装置」１０７は、ドアを解錠する（Ｓ３１８）。これにより、訪問者は入室、入場可能となる。ステップＳ３１８は、本発明における、リンク情報送信手段で送信したリンク情報に従って前記携帯端末から送信される前記ドアの開錠依頼を受信する開錠依頼受信手段と、開錠依頼受信手段で前記ドアを開錠する依頼を受信することを条件に、前記ドアを開錠する指示を行う指示手段の一例である。
【００６１】
ドアを解錠後、「自動ドア制御装置」１０７は、「Ｗｅｂサーバ」１０６に解錠完了通知を行う（Ｓ３１９）。
【００６２】
完了通知を受けた「Ｗｅｂサーバ」１０６は、解錠完了画面（図８）を生成し、「携帯端末」１０４に送信する（Ｓ３２０）。
【００６３】
「携帯端末」１０４は、解錠完了画面（図８）を生成表示し図９の処理を終了する。
【００６４】
「Ｗｅｂサーバ」１０６は、Ｓ３２０で解錠完了画面を「携帯端末」１０４に送信後、解錠に使用されたＵＲＬを図１０のデータテーブルから削除し、使用できなくする（Ｓ３２１）。
【００６５】
ＵＲＬ破棄後「訪問者、バーコード制御装置」１０１は解錠に使用されたバーコードキーを図１０のデータテーブルから削除することで使用できなくし（Ｓ３２２）、Ｗｅｂサーバ切断処理を実行する（Ｓ３２３）。
【００６６】
「Ｗｅｂサーバ」１０６は、切断完了通知を訪問者、バーコード制御装置」１０１に通知し（Ｓ３２４）、図９の解錠動作は終了する。
［第２の実施形態］
【００６７】
次に、図４を参照して、本発明の第２の実施形態のフローチャートの一例について詳細に説明する。
＜図４の説明＞
［登録時］
【００６８】
訪問者があると分かった際に管理者（管理会社、不動産業者、大家、住人など）は「訪問者登録端末」１００より、訪問者登録画面（図６）にアクセスし、「訪問者登録端末」１００は、訪問者登録画面を介して、訪問者の「携帯端末」１０４のＥメールアドレス、訪問日時、訪問者顔画像、訪問者名の入力をユーザから受け付け、「訪問者、バーコード制御装置」１０１に送信する（Ｓ４０１）。
【００６９】
「訪問者、バーコード制御装置」１０１は、ステップＳ４０１で「訪問者登録端末」１００から送られてきた情報を受信し、図１１のデータテーブルに登録する（Ｓ４０２）。ステップＳ４０２は、本発明における、識別情報を送信するユーザの顔画像を記憶する記憶手段の一例である。
［入室、入場時］
【００７０】
訪問者は建物または部屋に入るとき、自身の顔を、ドア近くに設置された「ネットワークカメラ」１０２に向ける。
「ネットワークカメラ」１０２は、訪問者の顔を読み取り、その画像を「訪問者、バーコード制御装置」１０１に通知する（Ｓ４０３）。ステップＳ４０３は、本発明における、ユーザの顔認識をする顔認識手段の一例であり、顔認識手段で顔認識を行うことで得られる顔画像を、前記情報処理装置に送信する顔画像送信手段の一例である。
【００７１】
「訪問者、バーコード制御装置」１０１は、「ネットワークカメラ」１０２から通知された顔画像を受信し、検証を行う（Ｓ４０４）。より具体的には、図１１のデータベースで保持する顔画像の特徴量と、「ネットワークカメラ」１０２から通知された顔画像の特徴量を比較し、図１１のデータベースで保持する顔画像と一致するかを判断する（Ｓ４０５）。ステップＳ４０４は、本発明における、読取装置から送信される顔画像を受信する顔画像受信手段の一例である。ステップＳ４０５は、本発明における、顔画像受信手段で受信した前記顔画像と、前記記憶手段で記憶する前記ユーザの顔画像が一致するかを判断する判断手段の一例である。
【００７２】
「ネットワークカメラ」１０２から通知された顔画像が図１１のデータベースで保持する画像と一致しなかった場合、エラーを「ネットワークカメラ」１０２に返す。
【００７３】
図１１のデータベースで保持する画像と一致した場合、「訪問者、バーコード制御装置」１０１は、バーコードキーを生成・図１１のデータベースに登録し（Ｓ４０６）、登録されているＥメールアドレス宛て、つまり訪問者の「携帯端末」１０４に、生成したバーコード画像を送信する（Ｓ４０７）。ステップＳ４０７は、本発明における、顔画像受信手段で受信した前記顔画像と、前記記憶手段で記憶する前記ユーザの顔画像が一致すると判断されることを条件に、前記ユーザが使用する前記携帯端末に識別情報を送信する識別情報送信手段の一例である。
【００７４】
「携帯端末」１０４は、Ｓ４０７で「訪問者、バーコード制御装置」１０１から送信されたバーコード画像を受信し、「携帯端末」１０４のディスプレイに表示する（Ｓ４０９）。ステップＳ４０９は、本発明における、情報処理装置から送信される前記識別情報を受信する第２の識別情報受信手段の一例であり、第２の識別情報受信手段で受信した前記識別情報を表示する表示手段の一例である。
【００７５】
訪問者は、バーコードキーが表示された「携帯端末」１０４のディスプレイを、ドア近くに設置された「ネットワークカメラ」１０２にかざすことによって、ドアの解錠を試みる。
【００７６】
「ネットワークカメラ」１０２は、かざされた「携帯端末」１０４に表示されているバーコードキーを読み取り、その画像を「訪問者、バーコード制御装置」１０１に通知する（Ｓ４１０）。ステップＳ４１０は、本発明における、携帯端末に表示される識別情報を読み取る読取手段の一例であり、読取手段により読み取った前記識別情報を前記情報処理装置に送信する第１の送信手段の一例である。
【００７７】
「訪問者、バーコード制御装置」１０１は通知されたバーコードキー画像を受信し、検証を行う（Ｓ４１１）。具体的には、通知されたバーコードキーが図１１のデータベースで保持するキーか、訪問日時が一致するか等を検証する。ステップＳ４１１は、本発明における、読取装置から識別情報を受信する識別情報受信手段の一例である。
【００７８】
通知されたバーコードキーが図１１のデータベースで保持するキーでなかった場合や、図１１のデータベースで保持するキーではあるが、訪問日時が一致しない場合に（Ｓ４１２）、エラーを「ネットワークカメラ」１０２に返し、図４の処理を終了する。
【００７９】
図１１のデータベースで保持するキーであり、かつ、訪問日時も一致する場合（Ｓ４１２）、「訪問者、バーコード制御装置」１０１は、「自動ドア制御装置」１０７に対して解錠依頼を行う（Ｓ４１３）。ステップＳ４１３は、本発明における、識別情報受信手段で受信した前記識別情報と前記識別情報送信手段で前記携帯端末に送信した前記識別情報が一致することを条件に、ドアを開錠する指示を行う指示手段の一例である。
【００８０】
「訪問者、バーコード制御装置」１０１から解錠依頼を受けた「自動ドア制御装置」１０７は、ドアを解錠する（Ｓ４１４）。これによりドアが開くため、訪問者は入室・入場可能となる。
【００８１】
解錠後、「自動ドア制御装置」１０７は、「訪問者、バーコード制御装置」１０１に解錠完了通知を行う（Ｓ４１５）。
【００８２】
完了通知を受けた「訪問者、バーコード制御装置」１０１は、解錠に使用されたバーコードキーを図１１のデータテーブルから削除し、使用できなくし（Ｓ４１６）図４の処理は終了する。
なお、他の実施例として、Ｓ４１２の処理を終了後に、図９のＳ３０７〜Ｓ３２４の処理を実行するとしてもよい。
【００８３】
図４の説明を終了する。
【００８４】
以上で、すべての実施例の説明を終了する。
【００８５】
以上、本発明によると、ドアを開錠するための識別情報が不正利用されるリスクを低減可能な仕組みを提供することができる。また、訪問者が来ることがあらかじめ分かっている場合に、訪問者にドアを開錠するためのバーコードを予め発行しておくことで、従来のインターフォンによる確認の手間をなくすことができる。
【００８６】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００８７】
この場合、記憶媒体から読み出されたプログラムコード自体が前述した実施形態の機能を実現することになり、プログラムコード自体及びそのプログラムコードを記憶した記憶媒体は本発明を構成することになる。
【００８８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のカード、ＲＯＭ等を用いることができる。
【００８９】
また、コンピュータが読み出したプログラムコードを実行することにより、前述した実施形態の機能が実現されるだけでなく、そのプログラムコードの指示に基づき、コンピュータ上で稼動しているＯＳ（基本システム或いはオペレーティングシステム）などが実際の処理の一部又は全部を行い、その処理によって前述した実施形態の機能が実現される場合も含まれることは言うまでもない。このプログラムコードを読み出し実行可能な情報処理装置（コンピュータ）が前述した実施形態の機能を実現する。
【００９０】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【符号の説明】
【００９１】
１００  訪問者登録端末
１０１  訪問者、バーコード制御装置
１０２  ネットワークカメラ
１０３  ネットワーク
１０４  携帯端末
１０５  無線ＬＡＮルータ
１０６  Ｗｅｂサーバ
１０７  自動ドア制御装置
１０８  自動ドア
【図１】
2018009448.tif 000003
【図２】
2018009448.tif 000004
【図３】
2018009448.tif 000005
【図４】
2018009448.tif 000006
【図５】
2018009448.tif 000007
【図６】
2018009448.tif 000008
【図７】
2018009448.tif 000009
【図８】
2018009448.tif 000010
【図９】
2018009448.tif 000011
【図１０】
2018009448.tif 000012
【図１１】
2018009448.tif 000013